(57)【要約】【課題】ディスク記録媒体を収容したカートリッジをトレイに収容したうえで装置本体との間での出し入れを行うようにした記録／再生装置において、カートリッジの出し入れにともないカートリッジのシャッタを開閉するための開閉手段の調整を容易に行えるようにする。【解決手段】カートリッジ１１のシャッタ１３は、外縁が円弧状に形成されてこの円弧状の部分に歯部が形成されたカム１７の回転変位によって開閉される。カートリッジ１１を収容して記録／再生装置の装置本体５１に出し入れするためのトレイ５２が設けられている。トレイ５２に、カム１７の歯部に噛み合い可能なラック５３が設けられている。ラック５３は、トレイ５２によってカートリッジ１１が装置本体５１の内部に搬入されるときに装置本体１１に保持されることで、カム１７の歯部に噛み合って、このカム１７をシャッタ１３が開く方向に変位させる。【選択図】図１
2008198302.tif 000002
【特許請求の範囲】
【請求項１】
シャッタを備えたカートリッジに収容されたディスク式記録媒体であって、前記シャッタが、回転変位可能であるとともに外縁が円弧状に形成されてこの円弧状の部分に歯部が形成されたカムの前記変位によって開閉されるように構成されたディスク式記録媒体のための記録／再生装置において、
前記カートリッジを収容して前記記録／再生装置の装置本体に出し入れするためのトレイが設けられており、このトレイに、前記歯部に噛み合い可能なラックが設けられており、前記ラックは、トレイによってカートリッジが装置本体内に搬入されるときに装置本体に保持されることで前記歯部に噛み合って前記カムをシャッタが開く方向に変位させることが可能とされていることを特徴とするディスク式記録媒体のための記録／再生装置。
【請求項２】
カムの外縁における歯部を間に挟んだ一対の位置に第１の凹部と第２の凹部とがそれぞれ形成され、
装置本体に、
トレイによってカートリッジが装置本体内に搬入されるときに第１の凹部にはまり込むことで、カムを所定量だけ回転変位させて、カムの歯部をラックに噛み合い可能な位置に導く第１の突入部材と、
トレイによってカートリッジが装置本体内に搬入されたときに第２の凹部にはまり込むことで、シャッタを開状態とさせる位置にカムを保持する第２の突入部材とが設けられていることを特徴とする請求項１記載のディスク式記録媒体のための記録／再生装置。
【請求項３】
装置本体に、第１の突入部材と第２の突入部材とを保持する保持部材が設けられており、ラックがこの保持部材によって保持されるように構成されていることを特徴とする請求項２記載のディスク式記録媒体のための記録／再生装置。
【請求項４】
カートリッジに、カムを閉位置に保持するためのロック装置が設けられており、このロック装置はロックを解除するための被押圧部を有し、ラックは、トレイにおける、カートリッジがトレイに収容されたときに前記被押圧部を押圧可能な位置に設けられていることを特徴とする請求項１から３までのいずれか１項記載のディスク式記録媒体のための記録／再生装置。
【発明の詳細な説明】
【技術分野】
【０００１】
本発明はディスク式記録媒体のための記録／再生装置に関し、特にシャッタを備えたカートリッジに収容されたディスク式記録媒体のための記録／再生装置に関する。
【背景技術】
【０００２】
シャッタを備えたカートリッジに収容されたディスク式記録媒体として、シャッタがカムによって開閉されるように構成されており、このカムが、回転変位を行うものであって、その外縁が円弧状に形成されており、その円弧状の部分に歯が形成された構成とされているものが知られている（特許文献１）。この特許文献１には、このディスク式記録媒体にデータを記録し、および、または、この記録媒体からデータを再生するための記録／再生装置として、装置内に媒体すなわちカートリッジを取り込むためのトレイと、装置内に設けられたシャッタ開閉機構とを具備したものが記載されている。シャッタ開閉機構にはシャッタの歯と噛み合うラックが設けられており、このラックは、トレイによってカートリッジが装置内に搬入されるときにシャッタの歯と噛み合うことでシャッタを開くことが可能であるとともに、トレイによってカートリッジが装置外に搬出されるときにシャッタの歯と噛み合うことでシャッタを閉じることが可能である。
【０００３】
図１４および図１５は、上記のディスク式記録媒体を収容するためのカートリッジの例を示す。図示のカートリッジ１１は、樹脂により成形されたものであって、ディスク式媒体を収容するための本体部１２と、この本体部１２の内部に設けられた薄板状のシャッタ１３とを備えている。本体部１２には、シャッタ１３を開いたときに記録媒体を露出させるための窓部１４が形成されている。
【０００４】
シャッタ１３は、一対の半月形の開閉板１５Ａ、１５Ｂを備え、これらの開閉板１５Ａ、１５Ｂは、それぞれピン１６のまわりに揺動することで開閉動を行うように構成されている。図１４はシャッタ１３の開閉板１５Ａ、１５Ｂが閉じたときの状態を示し、図１５は、これらが開いたときの状態を示す。カートリッジ１１の内部には、開閉板１５Ａ、１５Ｂに開閉動作を行わせるためのＣ形のカム１７が設けられている。そして、カム１７に設けられた一対のピン１８Ａ、１８Ｂが、開閉板１５Ａ、１５Ｂに形成された案内溝１９Ａ、１９Ｂにそれぞれはまり込むように構成されている。またカム１７は、その周方向に往復動するように構成されており、この往復動を行ったときに、案内溝１９Ａ、１９Ｂがピン１８Ａ、１８Ｂの動きに従動し、それによって開閉板１５Ａ、１５Ｂが開閉駆動されるように構成されている。
【０００５】
カム１７における円弧状の外周縁の周方向に沿った一定範囲の部分には、歯部２０が形成されている。そして、カム１７の外周縁における周方向に沿って、歯部２０を間に挟んだ一対の位置には、一対の凹部２１、２２が形成されている。図１４に示すように開閉板１５Ａ、１５Ｂが閉じている状態における、これら開閉板１５Ａ、１５Ｂの揺動端に近い方の凹部２１の位置に対応して、ロック装置２３が設けられている。このロック装置２３は、ピン２４のまわりに旋回可能なアーム２５を有し、ピン２４はアーム２５の中央部に位置されている。アーム２５の一端には爪２６が形成されており、この爪２６は、図示を省略したばねの作用によって、図１４に示す開閉板１５Ａ、１５Ｂが閉じている状態において凹部２１にはまり込んでいる。これによって、シャッタ１３の開閉板１５Ａ、１５Ｂを閉じた状態に保持可能である。アーム２５の他端には被押圧部２７が形成されており、この被押圧部２７が押圧されることで、ばねの力に抗してアーム２５がピン２４のまわりに旋回され、それによって爪２６が凹部２１から取り出されることになって、上記した保持状態を解除可能である。つまり、それによって、開閉板１５Ａ、１５Ｂが開動作可能となる。
【０００６】
カム１７は、その周方向に沿った大部分がカートリッジ１１の本体部１２の内部に収容されているが、その外周縁の一部分が、カートリッジ１１の側部において外部に露出するように構成されている。図１４に示すように、開閉板１５Ａ、１５Ｂが閉じていてロック装置２３により閉じ状態に保持されているときには、主に凹部２２が露出した状態にある。また、図１５に示すように開閉板１５Ａ、１５Ｂが完全に開いたときには、主に凹部２１が露出した状態にある。開閉板１５Ａ、１５Ｂが開閉動作中の位置にあるときには、主に歯部２０が露出した状態となる。
【０００７】
図１６は、従来の記録／再生装置の概略構成を示す。ここでは、装置本体３１と、図１４に示されるカートリッジ１１を保持して装置本体３１に出し入れするための樹脂製の移動式のトレイ３２との概略構成を、トレイ３２が装置本体３１から外に出ている状態で示している。図１７は、装置本体３１から外に出ている状態のトレイ３２にカートリッジ１１が収容された状態を示す。装置本体３１の内部には、カートリッジ１１の出し入れのためのトレイ３２の往復動に連動して、カートリッジ１１が装置本体３１の内部に搬入されるときにシャッタ１３の開閉板１５Ａ、１５Ｂを開くとともに、カートリッジ１１が装置本体３１から外部に搬出されるときに開閉板１５Ａ、１５Ｂを閉じるための、開閉装置３３が設けられている。
【０００８】
図１６〜図１８に示すように、開閉装置３３は、装置本体３３の内部に固定される樹脂製のケーシング３４を有する。図１９に示すように、トレイ３２は、その側縁部３５がケーシング３４にはまり込んだ状態で移動できるように構成されている。
【０００９】
開閉装置３３において、ケーシング３４の内部には、樹脂製のラック３６が設けられている。このラック３６は、ボディ３７と歯部３８とを一体に有し、ばね３９によって、トレイ３２の内側に向かう方向に押されている。このラック３６は、後述のように、トレイ３２によって搬送されているカートリッジ１１においてカム１７の歯部２０が露出しているときに、この歯部２０と噛み合い可能である。
【００１０】
開閉装置３３には、一対の樹脂製の揺動アーム４０、４１が設けられている。すなわち、ラック３６のボディ３７におけるトレイ３２の移動方向に沿った両端の位置には、それぞれピン４２、４２が設けられており、揺動アーム４０、４１は、それぞれ、ボディ３７によって支持された状態でピン４２、４２のまわりに揺動可能とされている。揺動アーム４０、４１の揺動端には、それぞれ爪４３、４４が一体に形成されている。これらの爪４３、４４は、ラック３６の歯部３８を両者の間に位置させた状態で、トレイ３２の移動方向に間隔をおいた位置に配置されている。揺動アーム４０、４１は、ばね４５によって、爪４３、４４がトレイ３２の内側に向かう方向に押圧されている。
【００１１】
図１９に示すように、トレイ３２の側縁部３５にはカム４６が一体に形成されている。揺動アーム４０、４１には突起４７、４８が一体に形成されており、これらの突起４７、４８がトレイ３２のカム４６に当たることで、ばね４５によって押されている揺動アーム４０、４１の爪４３、４４の位置が規制されるように構成されている。カム４６には部分的に凹部４９が形成されており、トレイ３２の移動にともなって凹部４９が揺動アーム４０、４１の突起４７、４８の位置に到達したときには、揺動アーム４０、４１はカム４６による規制が解かれ、それによって爪４３、４４がトレイ３２の内側部分に入り込むことになる。詳細は後述するが、爪４３は、トレイ３２の内側部分に入り込んだときには、このトレイ３２に収容されているカートリッジ１１の凹部２１にはまり込むように構成されている。また爪４４は、トレイ３２の内側部分に入り込んだときには、同様にカートリッジ１１の凹部２２１にはまり込むように構成されている。
【００１２】
次に、カートリッジ１１をトレイ３２に収容させて装置本体３１の内部に送り込むときの動作について説明する。このときには、図１７に示すように、装置本体３１から外に出ているトレイ３２にカートリッジ１１を収容させる。このとき、図示のようにシャッタ１３の開閉版１５Ａ、１５Ｂは閉じた状態にある。
【００１３】
この状態でトレイ３２が装置本体３１の内部に入り込むように移動すると、まず、図２０に示すようにカートリッジ１１が開閉装置３３に接近し、ロック装置２３における爪２６がカム１７の凹部２１に入り込んだ状態のアーム２５が、開閉装置３３のラック３６に接近する。すると、図２１に示すように、ラック３６の歯部３８がアーム２５の被押圧部２７に当たってこの被押圧部２７を押し、それによってアーム２５がピン２４のまわりに旋回することで爪２６が凹部２１から抜け出す。これによって、ロック装置２３によるカム１７のロック状態が解除され、カム１７は自由に周方向の往復動を行うことが可能な状態となる。
【００１４】
また、図２１に示すように、カム１７の凹部２２は揺動アーム４１の爪４４に向かい合う位置に到達するが、このとき、図１９に示すトレイ３２のカム４６の凹部４９が、揺動アーム４１の突起４８の位置に到達する。すると、ばね４５の力によって突起４８が凹部４９にはまり込み、揺動アーム４１は、それまでよりも爪４４がトレイ３２の内側部分に入り込むように揺動し、それによって図２１に示すように爪４４がカム１７の凹部２２にはまり込む。
【００１５】
この状態でトレイ３２すなわちカートリッジ１１がさらに装置本体３１の内部に入り込むように移動するが、カム１７は、凹部２２に揺動アーム４１の爪４４がはまり込んでいるために、一緒に移動することができない。このため、カム１７は、カートリッジ１１の本体部１２に対し周方向すなわち図２１における時計方向に移動し始める。
【００１６】
このカム１７の回転をともなってカートリッジ１１がさらに装置本体３１の内部に入り込むように移動すると、次にカム１７の歯部２０がラック３６の歯部３８に接近して、図２２に示すようにこれら歯部２０、３８どうしが噛み合う。すると、この場合も、カム１７は、歯部２０、３８どうしの噛み合いによってカートリッジ１１と一緒に移動することができないため、本体部１２に対してさらに周方向に移動する。
【００１７】
この状態でカートリッジ１１がさらに装置本体３１の内部に入り込むように移動すると、それにつれてカム１７の移動量も大きくなり、カートリッジ１１のシャッタ１３の開閉板１５Ａ、１５Ｂの開度が大きくなる。最後に、つまりカートリッジ１１が装置本体３１の内部の所定位置に到達して停止したときに、図２３に示すように、カム１７の凹部２１は、揺動アーム４０の爪４３に向かい合う位置に到達する。このとき、図１９に示すトレイ３２のカム４６の凹部４９が、揺動アーム４０の突起４７の位置に到達する。すると、ばね４５の力によって突起４７が凹部４９にはまり込み、それによって揺動アーム４０の爪４３がカム１７の凹部２１にはまり込む。
【００１８】
これにより、カートリッジ１１は、シャッタ１３が開いた位置に保持された状態で、装置本体３１の内部における所定の位置にセットされ、記録／再生に供される。
【００１９】
なお、何らかの原因によって、カートリッジ１１の移動方向と直交する方向における、カートリッジ１１と開閉装置３３との相対位置に変動が生じる可能性があるが、ばね３９によってその変動に追随することができる。すなわち、ラック３６は、ばね３９によってカム１７に押圧されることになるため、カートリッジ１１の位置の変動に対応して同様に変位することができ、これによって追随動作が可能である。ラック３６に支持されている揺動アーム４０、４１およびその先端の爪４３、４４も、同様に変動に追随可能である。
【００２０】
装置本体３１からのカートリッジ１１の排出の際には、上記と逆の動作が行われ、最終的にはシャッタ１３が閉じた状態のカートリッジ１１が取り出されることになる。
【特許文献１】特開２００３−１０９２８２号公報
【発明の開示】
【発明が解決しようとする課題】
【００２１】
しかし、上記のようにカートリッジ１１の移動方向と直交する方向におけるカートリッジ１１と開閉装置３３との相対位置の変動には対処することができるが、カートリッジの移動方向に沿った両者の相対位置の変動への追随が困難である。たとえば、図２１〜図２２に示す動作を行っているときに、揺動アーム４１の爪４４がカム１７の凹部２２から離れるタイミングと、カム１７の歯部２０とラック３６の歯部３８とが噛み合い始めるタイミングとは、互いに関連したものでなければならない。両方のタイミングが合わないときには微調整によって合わすことが必要である。その場合に、たとえば樹脂製の揺動アーム４１を製造するための金型を細かく調整して、揺動アーム４１の長さを変更することによるタイミング調整が可能である。しかし、その場合は、揺動アーム４１の長さを変更することが原因して、カム１７の凹部２２への爪４４の入り込み深さが変動してしまうので、その調整もが必要になる。これを是正するには、爪４４の形を変更したりトレイ３２のカム４６の形を変更したりすることが必要になり、調整のために各部の設計変更が必要になるなど、困難をともなう。また、揺動アーム４１の長さ調整を行うとともに、カートリッジ１１の移動方向に沿ったカム１７とラック３６の歯部２０、３８どうしの噛み合わせの再調整が必要になってしまうこともあり、その場合は調整の困難さが倍加する。
【００２２】
そこで本発明は、このような問題点を解決して、ディスク記録媒体を収容したカートリッジをトレイに収容したうえで装置本体との間での出し入れを行うようにした記録／再生装置において、カートリッジの出し入れにともないカートリッジのシャッタを開閉するための開閉手段の調整を容易に行えるようにすることを目的とする。
【課題を解決するための手段】
【００２３】
この目的を達成するため本発明は、シャッタを備えたカートリッジに収容されたディスク式記録媒体であって、前記シャッタが、回転変位可能であるとともに外縁が円弧状に形成されてこの円弧状の部分に歯部が形成されたカムの前記変位によって開閉されるように構成されたディスク式記録媒体のための記録／再生装置において、前記カートリッジを収容して前記記録／再生装置の装置本体に出し入れするためのトレイが設けられており、このトレイに、前記歯部に噛み合い可能なラックが設けられており、前記ラックは、トレイによってカートリッジが装置本体内に搬入されるときに装置本体に保持されることで前記歯部に噛み合って前記カムをシャッタが開く方向に変位させることが可能とされていることを特徴とするものである。
【００２４】
本発明によれば、上記において、カムの外縁における歯部を間に挟んだ一対の位置に第１の凹部と第２の凹部とがそれぞれ形成され、装置本体に、トレイによってカートリッジが装置本体内に搬入されるときに第１の凹部にはまり込むことで、カムを所定量だけ回転変位させて、カムの歯部をラックに噛み合い可能な位置に導く第１の突入部材と、トレイによってカートリッジが装置本体内に搬入されたときに第２の凹部にはまり込むことで、シャッタを開状態とさせる位置にカムを保持する第２の突入部材とが設けられていることが好適である。
【００２５】
本発明によれば、上記において、装置本体に、第１の突入部材と第２の突入部材とを保持する保持部材が設けられており、ラックがこの保持部材によって保持されるように構成されていることが好適である。
【００２６】
本発明によれば、上記において、カートリッジに、カムを閉位置に保持するためのロック装置が設けられており、このロック装置はロックを解除するための被押圧部を有し、ラックは、トレイにおける、カートリッジがトレイに収容されたときに前記被押圧部を押圧可能な位置に設けられていることが好適である。
【発明の効果】
【００２７】
本発明によれば、カートリッジのシャッタを開閉動作させるためのラックが、トレイに設けられるとともに、トレイによってカートリッジが装置本体内に搬入されるときに装置本体に保持されることで、カムをシャッタが開く方向に変位させることが可能とされているものであるため、たとえば上記のように装置本体に第１の突入部材と第２の突入部材とが設けられているような場合において、カートリッジに対するそれぞれの部材の調整を部材ごとに個別に行うことができ、ある部材の調整が原因して他の部材の調整が必要になるようなことがなく、したがってその調整を容易に行うことができる。
【００２８】
また本発明によれば、第１の突入部材と第２の突入部材とを保持する保持部材によってラックを装置本体に保持するものであることにより、突入部材のための保持部材にラックの保持機能を兼備させることができ、このためラックの保持機構の簡単化を図ることができる。
【００２９】
また本発明によれば、カートリッジがトレイに収容されたときに、ラックが、カムを閉位置に保持するためのロック装置のロックを解除可能な被押圧部を押圧可能であることにより、操作者がカートリッジをトレイに収容させるだけで、このカートリッジにおけるカムのロックを解除させることができる。
【発明を実施するための最良の形態】
【００３０】
図１において、５１は、本発明の実施の形態のディスク式記録媒体のための記録／再生装置の装置本体、５２は、カートリッジ１１を装置本体５１に出し入れするためのトレイである。カートリッジ１１は、図１４および図１５に示されたものと同じ構成である。
【００３１】
図２〜図４に詳細に示すように、トレイ５２には、樹脂製のラック５３が設けられている。ラック５３は、ホディ５４と、歯部５５と、ボディ５４から歯部５５とは反対側に向けて突出するピン５６とが一体に形成されている。ボディ５４はその背面がトレイ５２の側壁５７に接近した状態で配置されている。そしてボディ５４と側壁５７との間には、ラック５３を側壁５７から離れる方向に押圧する板ばね５８が、ラック５３に取り付けられた状態で設けられている。ラック５３は、トレイに形成されたストッパ（図示省略）によって板ばね５８の力を受けられた状態で、設置されている。トレイ５２の側壁５７には、このトレイ５２の移動方向に沿ったスリット５９が形成されており、ピン５６は、このスリット５９を貫通したうえで、その先端部がスリット５９から外方へ突出するように構成されている。
【００３２】
図４に示すように、板ばね５８には側壁５７に向かう方向の突起部６０が形成されている。一方、側壁５７には突起部６０が入り込み可能な凹部６１が形成されており、突起部６０が凹部６１に入り込むことで、ラック５３を側壁５７におけるラックの移動方向に沿った所定の位置に位置決めできるように構成されている。
【００３３】
図１〜図７に示すように、装置本体５１には、トレイ５２の移動経路に近接する位置に樹脂製の保持装置６３が設けられている。この保持装置６３は保持部材６４を備え、この保持部材６４はトレイ５２の移動方向に距離をおいて一対のホルダ部６５Ａ、６５Ｂを有し、ホルダ部６５Ａには第１の突入部材６６がはめ込まれ、ホルダ部６５Ｂには第２の突入部材６７がはめ込まれている。第１および第２の突入部材６６、６７は、樹脂により形成されて、ホルダ部６５Ａ、６５Ｂの内部を、トレイ５２の移動方向と垂直な方向にスライド可能とされている。そして第１および第２の突入部材６６、６７は、いずれも先端にピン６８、６９を有し、これらのピン６８、６９がトレイ５２の移動経路に向けて突出する方向に、図１〜図７においては図示を省略した板ばねによって押圧されている。ピン６８、６９は、このように突出した状態で、図２に示すように、トレイ５２のスリット５９を通過して、その先端部がトレイ５２の内部に入り込むように構成されている。第１および第２の突入部材６６、６７において、ピン６８、６９の基端部に対応する位置には、それぞれ端面７０が形成されている。
【００３４】
図５〜図７に詳しく示すように、保持部材６４は、それぞれ片持状に形成された第１のフック７１と第２のフック７２とを一体に有している。第１のフック７１は、ホルダ部６５Ａからトレイ５２の移動方向に沿ってホルダ部６５Ｂに向かう方向すなわち装置本体５１の奥側に向かう方向にアーム状に形成され、また第２のフック７２は、ホルダ部６５Ｂからトレイ５２の移動方向に沿ってホルダ部６５Ａに向かう方向すなわち装置本体５１の奥側とは反対側に向かう方向にアーム状に形成されている。第１のフック７１の先端にはフック部７３が一体に形成され、第２のフック７２の先端にはフック部７４が一体に形成されている。フック部７３、７４どうしの間には隙間７５が形成されており、この隙間７５にはラック５３のピン５６が入り込み可能である。フック部７３には、隙間７５に向かうにつれてトレイ５２に近づく方向に突出する傾斜面７６が形成されている。またフック部７４には、隙間７５に向かうにつれてトレイ５２に近づく方向に突出する傾斜面７７が形成されている。
【００３５】
ラック５３のピン５６は、このラック５３を保持したトレイ５２がカートリッジ１１を装置本体５１の内部に搬入するために装置本体５１の奥側に向けて移動するときに、傾斜面７６に当たり、それによって、フック部７３がトレイ５２から遠ざかる方向に、片持形状の第１のフック７１を弾性変形させることで、隙間７５に入り込み可能である。またピン５６は、装置本体５１の奥側から反対方向に移動したときに傾斜面７７に当たり、それによってフック部７４がトレイ５２から遠ざかる方向に、片持形状の第２のフック７２を弾性変形させることで、同様に隙間７５に入り込み可能である。
【００３６】
第１のフック７１の先端部におけるフック部７３が形成されている位置とは別の位置には、トレイ５２に向けて突出する突起７８が一体に形成されている。また第２のフック７２の先端部におけるフック部７４が形成されている位置とは別の位置にも、トレイ５２に向けて突出する突起７９が一体に形成されている。図３および図８に示すように、トレイ５２の側壁５７には、カム８０、８１が一体に形成されている。これらのカム８０、８１は、トレイ５２の移動によりこれらのカム８０、８１が突起７８、７９の位置に到達したときに、この突起７８、７９を押すことで、片持形状の第１のフック７１と第２のフック７２とをトレイ５２から遠ざかる方向に弾性変形させることで、同様にフック部７３、７４をトレイ５２から遠ざかる方向に変位させる。それによって、隙間７５に入り込んでいたラック５３のピン５６がトレイ５２の移動によって隙間７５の外へ出て行くことを許容する。
【００３７】
トレイ５２の側壁５７には、別のカム８２が形成されている。このカム８２は、トレイ５２の移動によりこのカム８２が第１の突入部材６６の位置に到達したときに、この第１の突入部材６６を押すことで、ピン６８をカートリッジ１１から遠ざかる方向に移動させることが可能である。
【００３８】
図１および図８は装置本体５１からトレイ５２が出ているときの状態を示し、このときに操作者によってカートリッジ１１がトレイ５２に収容される。図９は、その後にトレイ５２が移動して装置本体５１の内部に入り込んだときの状態を示す。
【００３９】
次に、このようにしてカートリッジ１１を装置本体５１の内部に取り込むときの動作について説明する。
【００４０】
図１および図８に示すようにトレイ５２が装置本体５１から外部に出ているときには、後述の動作によってラック５３は図４および図１０に示すように板ばね５８の突起部６０がトレイ５２の凹部６１にはまり込んでいる。すなわち、ラック５３は、トレイ５２における所定位置に保持されている。
【００４１】
この状態で図示のように操作者がカートリッジ１１をトレイ５２の所定位置に収容させると、図１０に示すように、位置決めされていたラック５３の歯部５５がカートリッジ１１のロック装置２３の被押圧部２７に当たってこれを押し、それによってロック装置２３の爪２６がカム１７の凹部２１から外れる。なお、図１０には、装置本体５１の内部に設けられた保持装置６３が一緒に示されている。この保持装置６３において、８３は、上述の板ばねで、ピン６８、６９がトレイ５２の方に向けて突出するように、第１および第２の突入部材６６、６７を押圧している。
【００４２】
トレイ５２は、カートリッジ１１が収容された後に、図１０の状態から、装置本体５１の内部に入り込む方向に移動を開始する。すると、この移動にともない、まず、トレイ５２の側壁５７に形成されたカムなどによって第１の突入部材６６の端面７０などが押されて、この第１の突入部材６６がトレイ５２から遠ざかる方向に移動される。これによって、第１の突入部材６６のピン６８がトレイ５２の側壁５７のスリット５９から外方へ退避される。これによって、スリット５９にはまり込んでいるラック５３のピン５６は、ピン６８に邪魔されることなく移動することができる。その結果、ラック５３は、図１１に示すように、第１の突入部材６６と第２の突入部材６７との間の位置に入り込む。
【００４３】
その後にさらにラック５３が移動すると、そのピン５６が第１のフック７１のフック部７３の傾斜面７６に当たり、このピン５６が第１のフック７１をトレイ５２から遠ざかる方向に押して弾性的に変形させる。またピン５６が傾斜面７６に当たるときに同時にトレイ５２の側壁５７のカム８０が第１のフック７１の突起７８に当たり、それによっても第１のフック７１がトレイ５２から遠ざかる方向に弾性的に変形される。そして、ピン５６がフック部７３の位置を通過し、かつカム８０が突起７８の位置を通過すると、図１１に示すように第１のフック７１は弾性力によって元の状態に戻る。これによって、ピン５６は、隙間７５に入り込み、第１のフック７１と第２のフック７２との間に挟み込まれた状態で保持装置６３によって保持される。したがって、それ以後は、トレイ５２の移動によりラック５３の板ばね５８の突起部６０がトレイ５２の側壁５７の凹部６１から外れ、ラック５３を保持装置６３の位置に残して、カートリッジ１１を収容したトレイ５２のみが装置本体５１の内部に入り込んで行く。
【００４４】
また、図１１に示す状態においては、第１の突入部材６６は板ばね８３で押されて元の位置に復帰しており、トレイ５２の移動にともなって図示のようにピン６８の先端がカートリッジ１１のカム１７の凹部２２にはまり込む。そして、この状態でさらにトレイ５２とともにカートリッジ１１が移動するが、カム１７は、凹部２２にピン６６が入り込んでいるために一緒に移動することができず、カートリッジ１１の本体部１２に対し図１１における時計方向に移動すなわち回転し始める。
【００４５】
すると、次に、カム１７の歯部３０が、保持装置６４に保持されているラック５３の歯部５５に噛み合い始め、図１２に示すようにトレイ５２すなわちカートリッジ１１のさらなる移動にともなって、カム１７はさらに周方向に移動する。図１２に示す段階では、第１の突入部材６６のピン６８は、カム１７の凹部２２から抜け出る。
【００４６】
最後に、トレイ５２およびカートリッジ１１が装置本体５１の内部における所定位置に到達して停止したときには、図１３に示すように第２の突入部材６７のピン６９の先端部がカム１７の凹部２１にはまり込む。これによって、カートリッジ１１は、シャッタが開いた位置に保持された状態で、装置本体５１の内部における所定の位置にセットされ、記録／再生に供される。
【００４７】
このとき、図示のように第１の突入部材６６はトレイ５２の側壁５７のカム８２に押され、これによってピン６８がカートリッジ１１から遠ざかった位置に退避される。このため、何らかの理由によってカーとリーッジ１１が所定の位置よりも装置本体５１の奥側に入り込み過ぎるオーバーシュートが発生した場合であっても、ピン６８がカートリッジ１１の部分に当たってしまうなどの不都合が発生することが防止される。
【００４８】
カートリッジ１１にオーバーシュートが発生すると、第２の突入部材６７のピン６９は、板ばね８３の力に抗してカム１７の外周縁に押され、凹部２１から抜け出す。しかし、カム１７の歯部２０とラック５３の歯部５５との噛み合わせは解放することができず、そのままでは各部に無理な力が作用してしまう。ところが、この場合には、トレイ５２の側壁５７のカム８１が保持装置６４の第２のフック７２の突起７９を押し、それによって第２のフック７２がトレイ５２から遠ざかる方向に弾性的に変位されるため、ラック５３のピン５６が隙間７５から装置本体５１の奥側へ抜け出し、ラック５３がカートリッジ１１と一緒に移動することになるため、上記のような無理な力が働くことが回避される。
【００４９】
ピン５６が隙間７５から抜け出したラック５３は、カートリッジ１１の取り出しの際にトレイ５２が上記とは逆方向に移動したときに、ピン５６が第２のフック７２のフック部７４の傾斜面７７を押してこの第２のフック７２を弾性変形させることで、元の隙間７５に再度収容される。
【００５０】
カートリッジ１１を装置本体５１から取り出すためにトレイ５２が移動すると、図１３に示す状態から図１２に示す状態に戻り、さらに図１１に示す状態に戻って、カートリッジ１１のシャッタが閉じられる。また、図１１に示される状態に戻ったときに、トレイ５２の側壁５７のカム８０に押されて第１のフック７１が開く。かつ、このとき、側壁５７の凹部６１にラック５３の板ばね５８の突起部６０がはまり込み、ラック５３は再びトレイ５２によって保持されることになる。そして、この状態でさらにトレイ５２が移動すると、図１０に示すカートリッジ１１の排出状態となる。
【００５１】
これによってトレイ５２がその移動を停止することで、カートリッジ１１をトレイ５２から取り出すことが可能となる。この取り出しによって、カートリッジ１１はロック装置２３の爪２６が凹部２１にはまり込み、これによってシャッタが閉じた状態に保持される。またこのとき、ラック５３はトレイ５２の凹部６１に対応して位置決めされた状態にあるため、次のカートリッジ１１がトレイ５２に収容されたときに同様にロック装置２３の被押圧部２７を押圧してそのロック状態を解除することが可能である。
【００５２】
上記した構成では、ラック５３と、第１および第２の突入部材６６、６７とは、個別に独立して設けられているため、それらの調整が容易である。たとえば、保持装置６３において第１の突入部材６６と第２の突入部材６７との間におけるラック５３の保持位置を調整する必要が生じた場合には、樹脂製の保持部材６４を成形するための金型を微調整して第１および第２のフック７１、７２の寸法などを変更することで、隙間７５の位置を変更するだけでよい。この調整は、第１および第２の突入部材６６、６７の位置や機能には何ら影響を及ぼさない。しかも、第１の突入部材６６や第２の突入部材６７の位置を調整するときには、ホルダ部６５Ａ、６５Ｂの位置を変更するだけでよく、また第１および第２の突入部材６６、６７のピン６８、６９の作用位置などを変更するときにはこのピン６８、６９の長さを変更するだけでよく、これらの変更がラック５３に悪影響を及ぼすことがないという利点がある。
【産業上の利用可能性】
【００５３】
本発明のディスク式記録媒体のための記録／再生装置は、カートリッジのシャッタを開閉させるための開閉装置を調整するに際し、開閉装置を構成するそれぞれの部材を個別に独立して容易に調整することができ、このためシャッタを備えたカートリッジに収容されたディスク式記録媒体のための記録／再生装置として有用である。
【図面の簡単な説明】
【００５４】
【図１】本発明の実施の形態のディスク式記録媒体のための記録／再生装置の要部の斜視図であって、トレイが装置本体から出ている状態を示す図
【図２】図１における要部の斜視図
【図３】図１におけるトレイの要部を拡大して示す斜視図
【図４】図３に示された部分の平面図
【図５】図１における装置本体の内部を拡大して示す斜視図
【図６】図５に示される部分の要部の斜視図
【図７】図６に示される部分を反対側から見た斜視図
【図８】図１における要部を拡大して示す斜視図
【図９】本発明の実施の形態のディスク式記録媒体のための記録／再生装置の要部の斜視図であって、トレイが装置本体に入っている状態を示す図
【図１０】図１〜図９に示す装置の動作を示す要部の平面図
【図１１】図１０の次の段階の動作を示す平面図
【図１２】図１１の次の段階の動作を示す平面図
【図１３】図１２の次の段階の動作を示す平面図
【図１４】本発明の記録／再生装置に用いられるディスク式記録媒体を収容するためのカートリッジの正面図
【図１５】同カートリッジのシャッタが開いた状態を示す正面図
【図１６】従来のディスク式記録媒体のための記録／再生装置の要部の平面図
【図１７】図１６の装置のトレイにカートリッジが収容された状態を、ディスクを省略して示す図
【図１８】図１６および図１７の装置におけるカートリッジのシャッタの開閉装置を示す図
【図１９】図１６および図１７の装置におけるトレイの要部を示す斜視図
【図２０】図１６および図１７の装置の動作を示す要部の平面図
【図２１】図２０の次の段階の動作を示す平面図
【図２２】図２１の次の段階の動作を示す平面図
【図２３】図２２の次の段階の動作を示す平面図
【符号の説明】
【００５５】
１１    カートリッジ
１３    シャッタ
１７    カム
２１    凹部
２２    凹部
２３    ロック装置
２７    被押圧部
５１    装置本体
５２    トレイ
５３    ラック
５６    ピン
５７    側壁
５８    板ばね
６０    突起部
６１    凹部
６３    保持装置
６４    保持部材
６６    第１の突入部材
６７    第２の突入部材
７１    第１のフック
７２    第２のフック
７５    隙間
【図１】
2008198302.tif 000003
【図２】
2008198302.tif 000004
【図３】
2008198302.tif 000005
【図４】
2008198302.tif 000006
【図５】
2008198302.tif 000007
【図６】
2008198302.tif 000008
【図７】
2008198302.tif 000009
【図８】
2008198302.tif 000010
【図９】
2008198302.tif 000011
【図１０】
2008198302.tif 000012
【図１１】
2008198302.tif 000013
【図１２】
2008198302.tif 000014
【図１３】
2008198302.tif 000015
【図１４】
2008198302.tif 000016
【図１５】
2008198302.tif 000017
【図１６】
2008198302.tif 000018
【図１７】
2008198302.tif 000019
【図１８】
2008198302.tif 000020
【図１９】
2008198302.tif 000021
【図２０】
2008198302.tif 000022
【図２１】
2008198302.tif 000023
【図２２】
2008198302.tif 000024
【図２３】
2008198302.tif 000025